(57)【要約】【課題】  セル移行の高速化を図ることによって、通信時における呼の品質を向上することである。【解決手段】  移動機１０は、送受信部１１と品質判定部１２とセル移行制御部１５とを備える。品質判定部１２は、移行先セルＣ２の通信品質ＱＣ２と所定値ａとの大小関係を監視しており、通信品質ＱＣ２＞ａとなった時点で、その旨を送受信部１１に通知する。通知を受けた送受信部１１は、セル移行条件（ＱＣ２＞ＱＣ１）の成立に先立ち、基地局Ｂ２から配信される移行先セルＣ２の報知情報の受信を開始する。その後、上記セル移行条件が成立すると、セル移行制御部１５は、受信された報知情報を使用して、セル移行処理を実行する。【選択図】  図２
2006135427.tif 000002
【特許請求の範囲】
【請求項１】
セル移行条件の成立に先立って、所定の条件が成立したか否かを判定する判定手段と、
前記判定手段により所定の条件が成立したと判定された場合に、移行先セルの報知情報の受信を開始する受信手段と、
前記セル移行条件が成立したことを契機として、前記受信手段により受信された報知情報を使用して、セルを移行する移行手段と
を備えることを特徴とする移動機。
【請求項２】
前記所定の条件は、移行先セルの通信品質が所定値を上回ること、または、前記移動機の移動速度が所定値を上回ることである
ことを特徴とする請求項１に記載の移動機。
【請求項３】
前記セル移行条件は、移行先セルの通信品質が移行元セルの通信品質を上回った状態が所定時間継続することであり、
前記所定の条件は、前記移行先セルの通信品質が前記移行元セルの通信品質を上回ることである
ことを特徴とする請求項１に記載の移動機。
【請求項４】
移行元セルの報知情報を使用してセル移行を行う移動機が、
所定の条件が成立したか否かを判定する判定ステップと、
前記判定ステップにて所定の条件が成立したと判定された場合に、移行先セルの報知情報の受信を開始する受信ステップと、
前記所定の条件の成立に伴う報知情報の受信が開始した後に、セル移行条件が成立したことを契機として、前記受信ステップにて受信された報知情報を使用して、セルを移行する移行ステップと
を含むことを特徴とするセル移行方法。
【請求項５】
前記所定の条件は、移行先セルの通信品質が所定値を上回ること、または、前記移動機の移動速度が所定値を上回ることである
ことを特徴とする請求項４に記載のセル移行方法。
【請求項６】
前記セル移行条件は、移行先セルの通信品質が移行元セルの通信品質を上回った状態が所定時間継続することであり、
前記所定の条件は、前記移行先セルの通信品質が前記移行元セルの通信品質を上回ることである
ことを特徴とする請求項４に記載のセル移行方法。
【発明の詳細な説明】
【技術分野】
【０００１】
移動機が移動に伴って実行するセル移行動作に関する。
【背景技術】
【０００２】
従来、携帯電話を始めとする移動機は、その一部が重なり合うように形成された複数のセルの中から、レベル変動や誤りに対して優位となるセル（通信品質の高いセル）を選択し、そのセルへの移行を行う。例えば、Ｗ−ＣＤＭＡ（Wideband-Code Division Multiple Access）では、有効な共通チャネルの情報やタイマの内容がセル毎に異なるため、移動機は、待受けを行うセルを変更する際に、そのセルの報知情報を受信する必要がある。
【０００３】
セルの移行に際して、移動機は、待受けしているセル及び同周波数の周辺セルの品質をＣＰＩＣＨ（Common Pilot Channnel）により監視し、移行すべきセルが見付かった時点で、移行先セルの報知情報の受信を開始する。報知情報の受信中にＤＲＸ（Discontinuous Reception：間欠受信）周期となった場合には、移動機は、ＰＣＣＨ（Paging Control Channel）受信を行いながら、移行先セルの報知情報を受信する。報知情報の受信が完了すると、移動機は、受信された報知情報に基づいてＰＣＣＨを設定し、待受け動作に入る。
【０００４】
通常、移動機には、セルのばたつきを抑えるための機能が設けられており、かかる機能を実現する手段として、ヒステリシスやTime To Trigerがある（例えば、非特許文献１参照。）。Time To Trigerは、通信品質のよいセルが検知された時を起点とし、その後、所定の時間間隔（Treselection）、そのセルへの在圏状態が連続した時点で当該セルは移行先セルの候補となり、報知情報の受信が開始される。また、以前に移行したことのあるセルへの移行に関して、移動機が、過去の報知情報を保持しておくことで、その全部を受信することを回避する技術も開示されている（例えば、特許文献１参照。）。しかし、この場合でも、以前に移動したことのあるセルか否かを判断するためには、やはり報知情報の少なくとも一部を受信しなければならない。
【非特許文献１】３ＧＰＰ TS25.304, TS25.331
【特許文献１】特開２００３−１５３３２４号公報
【発明の開示】
【発明が解決しようとする課題】
【０００５】
移動機は、通信品質の高いセルに在圏する時間をより長くする観点から、移行先セルの通信品質が移行元セルを上回った時点からセル移行が完了するまでの時間を短くする（つまり、セル移行を高速に行う）ことが望ましい。例えば、タイマを使用する場合には、Treselectionが終了した時点で、セル移行が完了していることが望ましい。ところが、従来は、移動機が報知情報の受信開始時点をタイムアップ時としていた、すなわち、タイムアップに先立って報知情報を予め受信することはなかった。これは、以下の理由による。
【０００６】
待受け状態にある移動機が移行する可能性のあるセルは複数存在し、３０を超える場合もある。したがって、移動機が、実際に移行するセルを事前に特定することは困難であり、移行先セルの特定後に報知情報を受信する動作を開始していた。また、移動機は、待受け中は、ＰＣＣＨによる間欠受信を行うことで消費電力の抑制（バッテリセービング）を実現しており、報知情報の事前受信を行うと、実際には移行しないセルの報知情報まで受信を開始してしまうことになる。その結果、移動機の消費電力は増大し、バッテリを浪費する一因となる。
【０００７】
したがって、従来技術では、報知情報の受信に要する時間分、セル移行処理の実行開始が遅れ、その結果、セル移行の完了は、報知情報の受信後となる。このため、移動機が適切なセルに在圏していない状態が発生し、このことが呼の接続に悪影響を与える可能性がある。
そこで、本発明の課題は、セル移行の高速化を図ることによって、通信時における呼の品質を向上することである。
【課題を解決するための手段】
【０００８】
本発明に係る移動機は、セル移行条件の成立に先立って、所定の条件が成立したか否かを判定する判定手段と、前記判定手段により所定の条件が成立したと判定された場合に、移行先セルの報知情報の受信を開始する受信手段と、前記セル移行条件が成立したことを契機として、前記受信手段により受信された報知情報を使用して、セルを移行する移行手段とを備える。
【０００９】
本発明に係るセル移行方法は、移行元セルの報知情報を使用してセル移行を行う移動機が、所定の条件が成立したか否かを判定する判定ステップと、前記判定ステップにて所定の条件が成立したと判定された場合に、移行先セルの報知情報の受信を開始する受信ステップと、前記所定の条件の成立に伴う報知情報の受信が開始した後に、セル移行条件が成立したことを契機として、前記受信ステップにて受信された報知情報を使用して、セルを移行する移行ステップとを含む。
【００１０】
これらの発明によれば、セル移行に必要な報知情報の受信が、セル移行条件の成立に先立って開始される。このため、セル移行条件が成立した時点で、報知情報の全部または一部の受信が完了していることになる。そして、移動機は、セル移行条件が成立した時に直ちに、事前に受信された報知情報を使用してセルの移行（セルリセレクション）を行う。したがって、セル移行条件の成立時に報知情報の受信を開始する場合に比べて、セルの移行処理は高速化される。
ここで、セル移行条件とは、例えば、移行先セルの通信品質が移行元セルのそれを上回ること、あるいは、上回った状態が所定時間継続することである。
【００１１】
本発明に係る移動機において、前記所定の条件は、例えば、移行先セルの通信品質が所定値を上回ること、または、前記移動機の移動速度が所定値を上回ることである。
本発明に係るセル移行方法において、前記所定の条件は、移行先セルの通信品質が所定値を上回ること、または、前記移動機の移動速度が所定値を上回ることである。
【００１２】
上記のような条件が成立した場合には、移動機が移行先のセルに接近していることが予想されることから、現在待受けをしているセルからそのセルに移行する可能性が高い。そこで、上記所定の条件が成立した場合には、移動機は、セル移行条件の成就を待たずに、報知情報の受信を開始する。すなわち、移動機は、移行先セルの受信品質が所定値に達したことを契機として、移行先の品質が移行元を上回っていなくとも、報知情報の受信を開始する。同様に、所定速度以上の速度で移動していることを検知すると、移行先の品質が移行元を上回っていなくとも報知情報の受信を開始する。移動機は、このようにして、セル移行条件が成立した際に、事前に取得された報知情報を用いて、セル移行を速やかに行うことを可能とする。
【００１３】
上述した条件以外にも、移動機が移行先のセルに接近していることを予想可能な条件を設定することができる。例えば、移行元セルの通信品質と移行先セルの通信品質との差が所定値を下回ること、を所定の条件に設定すれば、移行先セルの通信品質が移行元セルの通信品質に接近したこと、つまり移動機が移行元セルを離れつつある状態、を報知情報受信開始の契機とすることができる。あるいは、報知情報の受信に際して移動機が電力を消費することから、電源や大型電池などの移動機外部の給電主体から移動機に電力が供給されたことを所定の条件に設定するものとしてもよい。
【００１４】
本発明に係る移動機において、前記セル移行条件は、移行先セルの通信品質が移行元セルの通信品質を上回った状態が所定時間継続することであり、前記所定の条件は、前記移行先セルの通信品質が前記移行元セルの通信品質を上回ることであるものとしてもよい。
同様に、本発明に係るセル移行方法において、前記セル移行条件は、移行先セルの通信品質が移行元セルの通信品質を上回った状態が所定時間継続することであり、前記所定の条件は、前記移行先セルの通信品質が前記移行元セルの通信品質を上回ることであるものとしてもよい。
【００１５】
例えば、セル移行条件が、セル移行のばたつきを防ぐ観点から、移行先セルの通信品質が移行元セルを上回った状態が所定時間（Treselection）継続すること、である場合を想定する。この場合、本発明のように、所定の条件として、移行先セルの通信品質が移行元セルのそれを上回ることを設定することで、所定時間の経過を待たずして報知情報の受信が開始されることになる。このため、セル移行条件が成立した時（Treselection終了後）にセル移行を開始するよりも早い段階でセル移行が開始される。したがって、移動機は、セル移行を速やかに完了し、待受け状態に入ることができる。つまり、ばたつきを抑えつつ、セル移行を高速に行うことが可能となる。
【発明の効果】
【００１６】
移動機は、セル移行に先立つ所定の条件の成立に伴い、予め報知情報を受信しておき、この報知情報を用いてセル移行を行う。これにより、セル移行の高速化を図ることができ、通信時に維持される呼の品質を向上することが可能となる。
【発明を実施するための最良の形態】
【００１７】
［第１の実施形態］
以下、例示の為に添付された図面を参照しながら、本発明の第１の実施形態について説明する。本実施の形態では、図１に示すように、移動機１０が、互いに隣接する３つのセルＣ１，Ｃ２，Ｃ３のうち、セルＣ１，Ｃ２の重なり合うエリアＡ（図１の斜線領域）に在圏する状況を想定する。移動機１０は、より品質の高い通信環境を得るために、後述の所定条件に応じた、セルＣ１からセルＣ２へのセル移行（セルリセレクション）を行う。
【００１８】
まず、移動機１０の構成を説明する。
移動機１０は、送受信部１１（受信手段に対応）と品質判定部１２（判定手段に対応）と報知情報記憶部１３と受信完了タイマ１４とセル移行制御部１５（移行手段に対応）とを少なくとも備える。これら各部は、バスを介して相互に信号の入出力が可能なように構成されている。以下、各構成要素の機能について説明する。
【００１９】
送受信部１１は、セルＣ１，Ｃ２を形成する基地局Ｂ１，Ｂ２からＢＣＣＨ（Broadcast Control Channel）を経由して配信される報知情報を、アンテナにより受信する。報知情報は、移動機１０がセルを移行する際に必要な複数のパラメータ（例えば、事業者コード、位置情報、タイマ、セルリセレクションパラメータ、共通チャネル情報、周辺セル情報など）から構成される。これらのパラメータには、セルＩＤやValueTagも含まれる。
【００２０】
品質判定部１２は、各基地局Ｂ１，Ｂ２からの受信電力を基に、移行元セルＣ１と移行先セルＣ２の通信品質を比較し、移行先セルＣ２の通信品質が移行元セルＣ１の通信品質を上回ったことを以って、セル移行条件の成立を認識する。また、品質判定部１２は、上記セル移行条件の成立に先立つように、移行先セルＣ２の通信品質が所定値を超えるか否かを監視し、超えた時に、所定の条件の成立を認識する。品質判定部１２は、かかる条件の成立を契機として、送受信部１１に対して、報知情報の受信開始を指示する。
【００２１】
報知情報記憶部１３には、送受信部１１により受信された報知情報が記憶され、この報知情報の全部または一部は、後述のセル移行制御部１５により参照可能である。
【００２２】
受信完了タイマ１４は、移行先セルＣ２の報知情報の受信が完了した時点で、送受信部１１からの指示により計時を開始する。受信完了タイマ１４は、受信された報知情報の有効期間を示す指標となる設定時間Ｔ１を更新可能に保持しており、計時開始からの経過時間がこの設定時間Ｔ１を上回った時点で、タイムアップを検知する。タイムアップは、セル移行制御部１５からの要求に応じて、セル移行制御部１５に通知される。設定時間Ｔ１は、例えば５秒程度である。
【００２３】
セル移行制御部１５は、セル移行条件が成立したことを契機として、セル移行処理を実行する。詳細に関しては、動作説明において後述するが、セル移行制御部１５は、移行先セルＣ２の報知情報の受信完了または未了に応じて、報知情報の受信を継続するか否かを判定する。更に、セル移行制御部１５は、報知情報記憶部１３からValueTagを参照して、既存の報知情報を再利用可能であるか否かを判定し、その可否に応じて、新たな報知情報の受信を決定する。そして、受信された、または予め記憶されている報知情報を使用して、セルＣ１からセルＣ２への移行を完了する。同時に、移動機１０は、セルＣ２における待受けを開始する。
【００２４】
次に、動作を説明する。併せて、本発明に係るセル移行方法を構成する各ステップについて説明する。
図３のＳ１では、移動機１０は、セルＣ１にて待受け状態にある。
待受け中、送受信部１１は、隣接セルＣ２，Ｃ３の通信品質を監視している。監視結果は品質判定部１２に出力され、品質判定部１２は、この監視結果を基に、移行元セルＣ１の通信品質と移行先候補のセルＣ２，Ｃ３との間に所定の条件が成立するか否かの判定を行う（Ｓ２）。所定の条件とは、例えば、移行先セルＣ２の通信品質ＱＣ２が定数ａ（例えば、Ｅc／Ｎ0値で−１０ｄＢ程度）を上回ることである。
【００２５】
なお、所定の条件としてＱＣ２＞ａを例示したが、これに限らず、移行元セルＣ１の通信品質ＱＣ１と移行先セルＣ２の通信品質ＱＣ２との差を用いることもできる。すなわち、ＱＣ１−ＱＣ２＜α（但し、α＞０）の成立を報知情報受信開始の条件とすることで、移行先セルの通信品質が移行元セルに所定量近付いた時点での受信開始を可能とする。特に、ばたつきが生じないようにヒステリシスＱhystが設けられている通信環境では、ＱＣ１−ＱＣ２＜α−Ｑhyst（但し、α＞０，Ｑhyst＞０，α−Ｑhyst＜０）とすることができる。
上述したαの値は、例えば２ｄＢ程度であり、Ｑhystの値は４ｄＢ程度である。
【００２６】
上記条件（ＱＣ２＞ａ）が満たされない間は、移動機１０は、セルＣ１における待受け状態を継続するが、条件の成立に伴い、送受信部１１によるセルＣ２の報知情報の受信が開始される（Ｓ３）。その後、送受信部１１により、セルＣ２の報知情報の受信完了が検知されると（Ｓ４；ＹＥＳ）、当該報知情報は、報知情報記憶部１３に記憶される。なお、報知情報の受信完了とは、基地局Ｂ２から定期的に配信される報知情報の全体を受信することである。報知情報の記憶と同時に、送受信部１１は、受信完了タイマ１４を起動し、報知情報の受信完了時点からの経過時間を計測する（Ｓ５）。
【００２７】
品質判定部１２は、移行元セルＣ１の通信品質ＱＣ１と移行先セルＣ２の通信品質ＱＣ２との大小関係を比較しており（Ｓ６）、ＱＣ２がＱＣ１を上回った時点で（Ｓ６；ＹＥＳ）、これをセル移行制御部１５に通知する。
一方、ＱＣ２がＱＣ１以下である間は、Ｓ４における、報知情報の受信完了を確認する処理が継続して実行される。
【００２８】
セル移行制御部１５は、品質判定部１２からの通知を受けると、移動機１０にとって最適なセルがセルＣ２であると判断し、セルＣ１からセルＣ２へのセル移行処理を実行する。セル移行処理において、まず、セル移行制御部１５は、Ｓ３で開始された報知情報の受信が完了したか否かを判定する（Ｓ７）。Ｓ７における判定の結果、報知情報の受信が既に完了している場合には（Ｓ７；ＹＥＳ）、セル移行制御部１５は、現時点で、受信完了タイマ１４の経過時間が設定時間Ｔ１を上回っているか否かを判定する（Ｓ８）。
【００２９】
図４は、セル移行処理の実行に先立って、移行先セルＣ２の報知情報の受信が完了した様子を示す図である。図４においては、横軸に時間ｔが規定され、縦軸にはＥc／Ｎ0が規定されている。Ｅc／Ｎ0は、受信電力（ＲＳＣＰ：Received Signal Code Power）を周波数帯域内の総受信電力（ＲＳＳＩ：Received Signal Strength Indicator）で乗算したものに相当し、セル単位の通信品質を表す指標となる。図中、実線はセルＣ２のＥc／Ｎ0（上述のＱＣ２に相当）の時間的推移を示し、破線はセルＣ１のＥc／Ｎ0（上述のＱＣ１に相当）の時間的推移を示す。また、一点鎖線は、上述した定数ａの値を示す。
【００３０】
図４に示すように、移動機１０は、セルＣ１のＰＣＣＨによる間欠受信（ＤＲＸ）を行いながら周辺セルをモニタリングしており、ＱＣ２の値がａの値を上回った時点Ｘにおいて、セルＣ２の報知情報受信を開始する。そして、ＱＣ２の値がＱＣ１の値を上回った時点Ｙよりも前に、報知情報の受信を完了する。以降、移動機１０は、セルＣ２のＰＣＣＨにより周辺セルのモニタリングを行う。このようにして、移動機１０は、時点Ｙにおいては、既にセルＣ２での待受けが可能な状態になる。
【００３１】
図３に戻り、タイムアップしていない場合、すなわち、報知情報の受信完了時（上述のＳ５）からの経過時間が設定時間Ｔ１以内である場合には（Ｓ８；ＮＯ）、Ｓ７で受信が完了したと判定された報知情報が有効なものであると判断できるので、移動機１０は、この報知情報によるＰＣＣＨ受信を開始する。その結果、移動機１０は、セルＣ２での待受け状態に移行し、セル移行処理を完了する（Ｓ１２）。
【００３２】
これに対して、Ｓ８において、報知情報受信完了時からの経過時間が設定時間Ｔ１を徒過している場合には（Ｓ８；ＹＥＳ）、セル移行制御部１５は、Ｓ７で受信が完了したと判定された報知情報からValueTagを取得する（Ｓ９）。次いで、報知情報記憶部１３を参照し、当該ValueTagと同一のValueTagが記憶されているか否かの判定を行う（Ｓ１０）。判定の結果、かかるValueTagが記憶されている場合には（Ｓ１０；ＹＥＳ）、セル移行制御部１５は、以前に受信された報知情報の流用が可能であると判断する。そして、移動機１０は、Ｓ９で取得されたValueTagと同一のValueTagを有する報知情報を用いて、セルＣ２での待受けを開始する（Ｓ１２）。
【００３３】
このように、報知情報の流用が可能な場合に、報知情報記憶部１３に既存の報知情報を流用すれば、報知情報の全部を受信してセルを移行する場合と比較して、より迅速なセル移行が可能になる。また、受信データ容量の減少に伴い、チャネルの使用時間が短くなるため、移動機１０の消費電力が低減されるという効果も期待できる。
【００３４】
Ｓ１０における判定の結果、取得されたValueTagと同一のValueTagが記憶されていない場合には（Ｓ１０；ＮＯ）、報知情報の流用が効かないと判断できるので、移動機１０は、セルＣ２の報知情報を再度受信してこれを更新した上で（Ｓ１１）、セルＣ２での待受けを開始する（Ｓ１２）。このとき報知情報記憶部１３に記憶された報知情報に含まれるValueTagは、スクランブルコードと共に、以降のセルＣ２へのセル移行に際して再使用することができる。
【００３５】
ここで、ＱＣ２＞ＱＣ１が成立したにも関わらず（Ｓ６；ＹＥＳ）、その時点で、セルＣ２の報知情報の受信が完了していない場合には（Ｓ７；ＮＯ）、セル移行制御部１５は、報知情報の受信を継続させるとともに、全体の受信終了後に、これを報知情報記憶部１３に記憶させる（Ｓ１３）。そして、記憶された報知情報により、セルＣ２における待受けを開始する。これにより、セル移行処理の実行を終了する。
【００３６】
図５は、セル移行処理の実行開始後に、移行先セルＣ２の報知情報の受信が完了した様子を示す図である。図５においては、横軸に時間ｔが規定され、縦軸にはＥc／Ｎ0が規定されている。Ｅc／Ｎ0は、図４にて前述したように、セル毎の通信品質を表す指標として使用される。図中、実線はＱＣ２の時間的推移を示し、破線はＱＣ１の時間的推移を示す。また、一点鎖線は、上述した定数ａの値を示す。
【００３７】
図５に示すように、移動機１０は、セルＣ１のＰＣＣＨによる間欠受信（ＤＲＸ）を行いながら周辺セルをモニタリングしており、ＱＣ２の値がａの値を上回った時点Ｘ’において、セルＣ２の報知情報の受信を開始する。その後、ＱＣ２の値がＱＣ１の値を上回った時点Ｙ’においてもなお、報知情報の受信は完了していないため、報知情報の受信は継続される。そして、報知情報の全部が受信された後（時点Ｚ以降）、移動機１０は、セルＣ２のＰＣＣＨにより周辺セルのモニタリングを行う。このように、移動機１０は、時点Ｙ’のＰＣＣＨ受信では依然、セルＣ２での待受け状態とならず、時点Ｚ経過後のＰＣＣＨ受信（時点Ｚ’）において初めて、セルＣ２での待受けが可能な状態に移行する。
【００３８】
以上説明したように、第１の実施形態における移動機１０によれば、従来はセル移行条件の成立時（例えば、移行先セルの通信品質が移行元セルを上回った時）に開始されていた、移行先セルの報知情報の受信を、移行先セルの通信品質ＱＣ２が所定値ａを上回った時点で開始する。移動機１０は、所定値ａの値を移行元セルの通信品質ＱＣ１よりも小さく採ることで、セル移行条件の成立時よりも早い段階で報知情報の受信に着手することができる。これにより、セル移行条件の成立時までに報知情報の受信が完了している場合はもとより、一部の報知情報の受信が完了していない場合であっても、従来と比較してセル移行は迅速に完了する。その結果、通信開始時に接続される呼、あるいは、通信時に維持される呼の品質を向上することが可能となる。
【００３９】
［第２の実施形態］
次に、図６、７を参照しながら、本発明の第２の実施形態について説明する。
第１の実施形態では、移行先セルの報知情報の受信を開始する条件として、移行先セルの通信品質が所定値ａを超えることを採用したが、本実施の形態では、移動機１０の移動速度が所定値を超えることを採用する。
【００４０】
図６は、第２の実施形態における移動機の機能的構成を示すブロック図である。移動機１０の構成は、第１の実施形態において詳述した移動機の構成と類似するので、共通する構成要素には同列の符号（末尾の数字が同一の符号）を付しその説明は省略すると共に、第１の実施形態との差異について詳述する。
【００４１】
移動機２０は、送受信部２１と品質判定部２２と報知情報記憶部２３と受信完了タイマ２４とセル移行制御部２５とに加えて、移動速度算出部２６を備える。
移動速度算出部２６は、周知慣用の測位技術により、自機位置の経時的変化量を測定し、この測定結果から、単位時間における移動距離である移動速度を算出する。移動速度算出部２６は、報知情報の受信を開始する契機となる閾値Ｖを保持しており、算出結果である移動速度が当該閾値Ｖを超えた時に、その旨を送受信部２１に通知する。閾値Ｖは、例えば、３０ｋｍ／ｈ程度である。
【００４２】
続いて、図７を参照して、第２の実施形態における移動機の動作を説明する。なお、本動作は、第１の実施形態において詳述した移動機の動作（図３参照）と基本的に同様である。具体的には、図７に示すＳ２１及びＳ２５〜Ｓ３４の各処理は、図３に示したＳ１及びＳ４〜Ｓ１３の各処理にそれぞれ相当する。
【００４３】
以下、セルＣ１に在圏する移動機２０を想定し、本実施の形態に特有の処理Ｓ２２〜Ｓ２４について説明する。
Ｓ２２では、移動速度算出部２６は、セルＣ１で待受け中の移動機２０の移動速度を算出し、その算出結果が閾値Ｖを超えるか否かの判定を行う（Ｓ２２）。移動速度が閾値Ｖを超えると（Ｓ２２；ＹＥＳ）、これを契機として、移動機２０は、品質判定部２２により、各周辺セルの通信品質をＥc／Ｎ0値から判定する。そして、周辺セルのうち、通信品質の最も高いセル（若しくは最も良くなっているセル）を、予測される移行先セルとして特定する（Ｓ２３）。Ｓ２４では、送受信部２１が、Ｓ２３で特定されたセル（本実施の形態ではＣ２）の報知情報の受信を開始する。
【００４４】
Ｓ２５以降の処理は、第１の実施形態における移動機１０の動作（図３に示したＳ４以降の処理）と同一であるため、その説明は省略する。
なお、第２の実施形態の変形態様として、移動機２０に給電判定部（図示せず）を更に設け、ＡＣ（Alternating Current）アダプタを介した電源、または大型電池から電力が供給されたことを検知した際に、移行先セルＣ２の報知情報の受信を開始してもよい。
【００４５】
以上説明したように、移動機２０は、所定速度Ｖより高速での移動を検知すると、現在在圏するセルから他のセルへ移行する可能性が高いものと判断し、周辺セルの通信品質を判定する。移動機２０は、周辺セルの中から通信品質の最も高いセルＣ２を移行先セルに決定し、そのセルの報知情報の受信を開始する。このように、報知情報の受信を開始する契機は異なるものの、本実施の形態においても、セル移行条件であるＱＣ２＞ＱＣ１の成立に先立って、報知情報が受信される。このため、移動機２０が、この報知情報を使用して移行先セルＣ２への移行を行うことで、従来のセル移行技術と比較して、よりスムーズなセル移行が実現される。
【００４６】
［第３の実施形態］
次に、図８〜図１０を参照しながら、本発明の第３の実施形態について説明する。
第１の実施形態では、移行先セルの報知情報の受信を開始するために、移行先セルの通信品質が所定値を超えることを条件とした。本実施の形態では、セルのばたつき（過度に高頻度なセル移行）を抑制するために、以下の機能を有する移動機を想定する。本実施形態の移動機は、移行先セルの通信品質が移行元セルの通信品質よりも高い状態が所定時間継続した後に、移行先セルでの待受け状態に入る。移動機は、セル移行処理の実行開始時、すなわち上記状態が所定時間継続した時よりも前の、移行先セルの通信品質が移行元セルを上回った時点で報知情報の受信を開始する。
【００４７】
図８は、第３の実施形態における移動機３０の機能的構成を示すブロック図である。移動機３０の構成は、第１の実施形態において詳述した移動機の構成と類似するので、共通する構成要素には同列の符号（末尾の数字が同一の符号）を付しその説明は省略すると共に、第１の実施形態との差異について詳述する。
【００４８】
移動機３０は、送受信部３１と品質判定部３２と報知情報記憶部３３とセル移行制御部３５とに加えて、品質監視タイマ３７を備える。
品質監視タイマ３７は、移行先セルの通信品質ＱＣ２が移行元セルのＱＣ１を上回ったという判定結果が品質判定部３２から通知されると、これを契機に計時を開始し、同時に、送受信部３１に対して、セルＣ２の報知情報の受信開始を指示する。品質監視タイマ３７には、設定時間Ｔ３が保持されており、計時の開始から設定時間Ｔ３が経過すると、セル移行制御部３５に対してセル移行処理の実行を指示する。設定時間Ｔ３は、Treselectionに相当し、例えば３秒程度である。
【００４９】
次に、図９と図１０を参照して、本実施の形態における動作を説明する。
本動作は、第１の実施形態において詳述した移動機の動作（図３参照）と共通するステップを複数含む。図９に示すＳ３１，Ｓ３７，Ｓ３８，Ｓ３９の各処理は、図３に示したＳ１，Ｓ７，Ｓ１２，Ｓ１３の各処理にそれぞれ相当する。以下、セルＣ１に在圏する移動機３０に特有の動作として、第１の実施形態との差異であるＳ３２〜Ｓ３６について説明する。
【００５０】
移動機３０は、セルＣ１での在圏中に、品質判定部３２により、移行元セルＣ１の通信品質ＱＣ１と移行先セルＣ２の通信品質ＱＣ２との大小関係を判定している（Ｓ３２）。この判定は、ＰＣＣＨによって定期的に行われる。判定の結果、ＱＣ２＞ＱＣ１が成立すると、その時点で、品質判定部３２により、品質監視タイマ３７の起動が指示され、経過時間の測定が開始される（Ｓ３３）。図１０の時点Ｘ’’は、経過時間の起点を示す。これと略同時に、送受信部３１によるＢＣＣＨを介した、セルＣ２の報知情報の受信が開始される（Ｓ３４）。
【００５１】
報知情報の受信開始後も、品質判定部３２によるＱＣ１とＱＣ２との比較処理は継続して行われる（Ｓ３５）。設定時間Ｔ３の経過前に大小関係が逆転すると、すなわちＱＣ２≦ＱＣ１が再び成立すると（Ｓ３５；ＮＯ）、Ｓ３１に戻り、以降の処理が実行される。このとき、Ｓ３３で起動された品質監視タイマ３７は一旦リセットされ、ＱＣ２＞ＱＣ１が再び成立すること（Ｓ３２；ＹＥＳ）を契機に、再び計時が開始されるものとしてもよい。
【００５２】
Ｓ３５の処理中も品質監視タイマ３７は計時を継続しており、セルＣ２がセルＣ１よりも良好な状態（通信品質ＱＣ２＞ＱＣ１）を維持したまま、設定時間Ｔ３が経過した場合には（Ｓ３６；ＹＥＳ）、セル移行制御部３５により、Ｓ３７以降のセル移行処理が実行される。図１０は、品質監視タイマ３７が満了（タイムアップ）した時点Ｙ’’にて既に報知情報全部の受信が完了した場合における、通信品質の時間的推移を示す図である。図１０に示す例では、報知情報の受信は、通信品質ＱＣ２＞ＱＣ１となった直後に開始され、設定時間Ｔ３が経過する前に完了している。この場合、移動機３０は、受信された報知情報を使用して、セルＣ２における待受けを開始することができる。一方、設定時間Ｔ３の経過時に受信未了の報知情報が存在する場合には、移動機３０は、そのまま受信を継続し、受信完了後にその報知情報を使用して、セルＣ２における待受けを開始する。
【００５３】
このように、本発明は、セル移行に際してばたつき防止機能を設けた移動機に対しても適用可能である。本実施の形態における移動機３０によれば、従来は所定時間（Treselection）の終了後（図１０の時点Ｙ’’以降）に開始されていた報知情報の受信が、所定時間の終了時には完了することになり、その分セル移行を迅速に行うことができる。これにより、セル移行に伴うデータ損失が低減され、呼の品質は向上する。
【００５４】
ここで、本実施の形態では、セルＣ２の報知情報の受信は、通信品質ＱＣ２＞ＱＣ１の成立を条件に開始するが、かかる条件の成立がタイムアップまで継続しなかった場合には、品質監視タイマ３７がリセットされることで、それまでの報知情報の受信動作が無駄になる懸念がある。このような懸念を解消するためには、報知情報の受信開始条件を更に厳しく設定することが有効である。例えば、ＱＣ２＞ＱＣ１＋β（但し、β＞０）を条件とする。また、ヒステリシスＱhystが設けられている環境では、ＱＣ２＞ＱＣ１＋Ｑhyst＋β（Ｑhyst＞０，β＞０）を条件としてもよい。
上述のβの値は、例えば２ｄＢ程度であり、Ｑhystの値は４ｄＢ程度である。
このような条件を設定することで、移動機３０が実際にセル移行を行う可能性が高い場合にのみ報知情報の受信が開始されることになり、事前の報知情報取得処理がばたつきにより無駄になる事態を極力回避できる。
【００５５】
なお、上記各実施の形態に記載の態様は、本発明に係る移動機またはセル移行方法の好適な一例であり、本発明は、これに限定されるものではない。
例えば、上記実施の形態では、移動機を携帯電話として説明したが、これに限らず、セル移行を伴う無線通信機能を備えた電子機器であればよい。また、無線通信方式としてＣＤＭＡを例示したが、他の無線通信方式に対しても本発明の適用は可能である。
【００５６】
更に、上記各実施形態は、それぞれ独立して本発明に適用されるとは限らず、相互に組み合わせた上で適用することも可能である。具体的には、報知情報の受信開始の条件を、移行先セルの通信品質ＱＣ２が設定時間Ｔ３内に前述の定数ａを超えることとすることもできる。あるいは、ＱＣ２＞ａと、移動機の移動速度＞閾値Ｖと、電源または大型電池から電力が供給されること、の三条件のうち、何れか二つまたは全ての条件が満たされた場合に、報知情報の受信が開始されるという条件を設定してもよい。かかる態様にも、設定時間Ｔ３内に、このような条件を満たすことを新たな条件として追加することは、勿論可能である。
【図面の簡単な説明】
【００５７】
【図１】隣接セルと移動機との位置関係を示す図である。
【図２】本発明の第１の実施形態における移動機の機能的構成を示すブロック図である。
【図３】第１の実施形態における移動機の動作を説明するためのフローチャートである。
【図４】第１の実施形態において、セルＣ２の通信品質がセルＣ１のそれを上回る前に報知情報の受信が完了した様子を示す図である。
【図５】第１の実施形態において、セルＣ２の通信品質がセルＣ１のそれを上回った後に報知情報の受信が完了した様子を示す図である。
【図６】第２の実施形態における移動機の機能的構成を示すブロック図である。
【図７】第２の実施形態における移動機の動作を説明するためのフローチャートである。
【図８】第３の実施形態における移動機の機能的構成を示すブロック図である。
【図９】第３の実施形態における移動機の動作を説明するためのフローチャートである。
【図１０】第３の実施形態において、設定時間の開始時に開始された報知情報の受信が、設定時間内に完了した様子を示す図である。
【符号の説明】
【００５８】
１０，２０，３０…移動機、１１，２１，３１…送受信部、１２，２２，３２…品質判定部、１３，２３，３３…報知情報記憶部、１４，２４…受信完了タイマ、１５，２５，３５…セル移行制御部、２６…移動速度算出部、３７…品質監視タイマ、Ａ…エリア、Ｂ１，Ｂ２…基地局，Ｃ１〜Ｃ３…セル、Ｔ１，Ｔ２，Ｔ３…設定時間、Ｖ…閾値
【図１】
2006135427.tif 000003
【図２】
2006135427.tif 000004
【図３】
2006135427.tif 000005
【図４】
2006135427.tif 000006
【図５】
2006135427.tif 000007
【図６】
2006135427.tif 000008
【図７】
2006135427.tif 000009
【図８】
2006135427.tif 000010
【図９】
2006135427.tif 000011
【図１０】
2006135427.tif 000012